(57)【要約】      （修正有）【課題】内蔵物のネジ止め箇所を削減したカメラを提供する。【解決手段】内蔵物１２は両端部に凸部２０を備え、第１外装部材１４の一方向（図中上）より挿入され、第１外装部材１４内に固定される。このとき、第１外装部材１４の内壁には凸部２０が嵌合し且つスムーズに挿入できるようなガイドレール１８が設けられ、凸部２０はガイドレール１８に勘合し、図中左右方向の位置精度を保ちながら第１外装部材１４内に挿入される。第１外装部材１４と嵌合しカメラ１０の外形を形成する第２外装部材１６には内蔵物１２の凸部２０を上下方向に規制する固定部材２２が片側一対ずつ設けられ、凸部２０を上下から固定し、位置を規制する。【選択図】図１
2006174283.tif 000002
【特許請求の範囲】
【請求項１】
撮影光学系を含む内蔵物と、
前記内蔵物を挟持、固定する第１外装部材と、
前記第１外装部材と組み合わせられることでカメラの筐体を構成する第２外装部材と、
を備え、
前記第１外装部材は内側に前記内蔵物をガイドするガイド手段を備え、
前記第２外装部材は前記第１外装部材の内側へ進入し前記内蔵物を所定の位置に固定する固定部材を備えたことを特徴とするカメラ。
【請求項２】
撮影光学系を含む内蔵物と、
前記内蔵物を挟持、固定する第１外装部材と、
前記第１外装部材と組み合わせられることでカメラの筐体を構成する第２外装部材と、
を備え、
前記第１外装部材は内側に前記内蔵物を所定の位置へガイドするガイド手段と位置決め穴とを備え、
前記内蔵物は前記位置決め穴に向けて付勢され、前記位置決め穴と係合し前記内蔵物を所定の位置に固定する固定ピンを備えたことを特徴とするカメラ。
【請求項３】
前記ガイド手段に前記第１外装部材と電気的に導通する端子部を設け、
前記内蔵物が前記端子部に接触する部分を前記内蔵物の接地端子部として前記内蔵物の接地配線と接続し、
前記端子部は前記接地端子部を所定の押圧力で挟持するバネであることを特徴とする請求項１乃至請求項２の何れかに記載のカメラ。
【請求項４】
前記固定ピンは前記内蔵物の接地配線と電気的に接続され、前記位置決め穴に係合する際、前記第１外装部材と前記内蔵物の接地配線とを導通することを特徴とする請求項２に記載のカメラ。
【請求項５】
操作部材および表示部材を前記内蔵物上に設け、前記第１外装部材および前記第２外装部材の少なくとも一方に前記操作部材および前記表示部材を外部に露出させる開口部を設けたことを特徴とする請求項１乃至請求項４の何れかに記載のカメラ。
【発明の詳細な説明】
【技術分野】
【０００１】
本発明はカメラに関し、特にデジタルカメラに関する。
【背景技術】
【０００２】
近年、特に比較的低価格のデジタルカメラにおいては、撮像光学系や内部基板、表示部、操作スイッチなどを内蔵物として一体化し、外装部材でカバーすることでカメラとしての形状をなす構造が採用されている。
【０００３】
銀塩カメラと異なりデジタルカメラにはフィルム搬送系が存在しないため、撮像光学系から記憶素子に至るまで内蔵物で完結させることが可能であり、また外装部材との寸法精度も銀塩カメラに比較して要求されるレベルは低いので、部品点数を削減できる上記構造は特にデジタルカメラのコスト削減に効果的である。
【０００４】
しかし上記構造では内蔵物を外装部材に固定し、一定の強度を維持すると共に、所定の寸法精度を保つために内蔵物をネジなどの固定手段で外装部材に固定するか、あるいは内蔵物を仮保持するフレーム部材にネジで固定したものをさらに外装部材にネジ固定する必要があった。
【０００５】
このため、単純な構成でありながら組み立て工数は削減できず、また部品点数も多いためコストも高く、さらに作業工数と部品点数の多さは不良発生の要因増加にも繋がっている。これを解決するためにはネジ止め箇所を削減する、あるいは無くす等の対策が考えられるが、従来の構造でネジ止め箇所を減らせば加工精度の低下や強度の不足などの悪影響が起きる危険がある。
【０００６】
また基板のＧＮＤ（接地）を金属製の外装部材と電気的に導通させ、カメラ外部に接地する構造が一般的であるが、基板のＧＮＤと外装部材を金属ネジで固定し、導通させている従来構造においてネジ止め箇所を削減すれば十分な導通が得られず、静電故障が発生する可能性がある。
【発明の開示】
【発明が解決しようとする課題】
【０００７】
本発明は上記事実を考慮し、内蔵物のネジ止め箇所を削減したカメラの提供を目的とする。
【課題を解決するための手段】
【０００８】
請求項１に記載のカメラは、撮影光学系を含む内蔵物と、前記内蔵物を挟持、固定する第１外装部材と、前記第１外装部材と組み合わせられることでカメラの筐体を構成する第２外装部材と、を備え、前記第１外装部材は内側に前記内蔵物をガイドするガイド手段を備え、前記第２外装部材は前記第１外装部材の内側へ進入し前記内蔵物を所定の位置に固定する固定部材を備えたことを特徴とする。
【０００９】
上記構成の発明では少ない工数で内蔵物を固定し且つ内蔵物のネジ止め箇所を削減したカメラとすることができる。
【００１０】
請求項２に記載のカメラは、撮影光学系を含む内蔵物と、前記内蔵物を挟持、固定する第１外装部材と、前記第１外装部材と組み合わせられることでカメラの筐体を構成する第２外装部材と、を備え、前記第１外装部材は内側に前記内蔵物を所定の位置へガイドするガイド手段と位置決め穴とを備え、前記内蔵物は前記位置決め穴に向けて付勢され、前記位置決め穴と係合し前記内蔵物を所定の位置に固定する固定ピンを備えたことを特徴とする。
【００１１】
上記構成の発明では、少ない工数で内蔵物を固定し且つ内蔵物のネジ止め箇所を削減したカメラとすることができる。
【００１２】
請求項３に記載のカメラは、前記ガイド手段に前記第１外装部材と電気的に導通する端子部を設け、前記内蔵物が前記端子部に接触する部分を前記内蔵物の接地端子部として前記内蔵物の接地配線と接続し、前記端子部は前記接地端子部を所定の押圧力で挟持するバネであることを特徴とする。
【００１３】
上記構成の発明では、内蔵物を接地端子部、端子部を経由する形で確実に接地でき、静電故障の発生を抑えることができる。
【００１４】
請求項４に記載のカメラは、前記固定ピンは前記内蔵物の接地配線と電気的に接続され、前記位置決め穴に係合する際、前記第１外装部材と前記内蔵物の接地配線とを導通することを特徴とする。
【００１５】
上記構成の発明では、内蔵物を固定ピン、位置決め穴を経由する形で確実に接地でき、静電故障の発生を抑えることができる。
【００１６】
請求項５に記載のカメラは、操作部材および表示部材を前記内蔵物上に設け、前記第１外装部材および前記第２外装部材の少なくとも一方に前記操作部材および前記表示部材を外部に露出させる開口部を設けたことを特徴とする。
【００１７】
上記構成の発明では、内蔵物に集約した操作部材、表示部材を外装部材に設けた穴から外部に露出させ、直接撮影者がアクセスすることができる。
【発明の効果】
【００１８】
本発明は上記の構成としたので、内蔵物のネジ止め箇所を削減したカメラとすることができた。
【発明を実施するための最良の形態】
【００１９】
図１には、本発明の第１実施形態に係るカメラの構造が示されている。
【００２０】
図１に示すように、カメラ１０は内蔵物１２、第１外装部材１４、第２外装部材１６より構成されている。
【００２１】
内蔵物１２は撮像光学系、基板、操作部材、表示部材、記録素子などが一体的に形成されたカメラ１０の中核をなす部材であり、この内蔵物１２を第１外装部材１４、第２外装部材１６によって固定、保持しカメラ１０としての外形を整える。第１外装部材１４は２方向（図中右、上）が開放され開口部となっており、第２外装部材１６がこの開口部を塞ぐ形でカメラ１０の外形を形成する。
【００２２】
内蔵物１２は両端部に凸部２０を備え、第１外装部材１４の一方向（図中上）より挿入され、第１外装部材１４内に固定される。このとき、第１外装部材１４の内壁には凸部２０が嵌合し且つスムーズに挿入できるようなガイドレール１８が設けられ、凸部２０はガイドレール１８に勘合し、図中左右方向の位置精度を保ちながら第１外装部材１４内に挿入される。
【００２３】
図２には、本発明の第１実施形態に係るカメラの構造が示されている。
【００２４】
図２に示すように、凸部２０がガイドレール１８の終端（図中下）に突き当たった状態で固定されるためには図中上下方向の移動を規制すればよい。
【００２５】
そのため、第１外装部材１４と嵌合しカメラ１０の外形を形成する第２外装部材１６には内蔵物１２の凸部２０を上下方向に規制する固定部材２２が片側一対ずつ設けられ、凸部２０を上下から固定し、位置を規制する。ガイドレール１８の加工精度が十分に高く、溝の深さが十分であるか、または突き当て部材を設けてあれば固定部材２２は上方の一対のみでも良い。
【００２６】
第１外装部材１４と第２外装部材１６が嵌合し、固定部材２２が凸部２０の位置を規制した状態で固定穴２８に固定ネジ２４をねじ込むことによって、固定穴２８とネジ穴３０が固定ネジ２４で固定され、内蔵物１２の位置の固定と、第１外装部材１４および第２外装部材１６が嵌合し、カメラ１０として形成される。
【００２７】
またこのとき、内蔵物１２には裏側（撮影者側）に表示部材や操作部材が、表側（被写体側）に撮影レンズや内蔵ストロボが設けられており、これらは外装部材ではなく内蔵物に固定されている。このため第１外装部１４、第２外装部材１６には開口部２６が設けられ、表示部材、操作部材、撮影レンズなどが外部に露出できるような構造となっている。これにより内蔵物に集約した操作部材、表示部材等を外装部材に設けた穴から外部に露出させ、直接撮影者がアクセスすることができる。
【００２８】
本実施形態は上記の構成とすることで、少ない工数で内蔵物を固定し且つ内蔵物のネジ止め箇所を削減したカメラとすることができる。これにより工数、部品点数を削減できるのでコスト低下および不良発生率の低下を実現できる。
【００２９】
図３には、本発明の第１実施形態に係るカメラの他の構造が示されている。
【００３０】
図３（ａ）に示すように、図１、２で述べた内蔵物１２の両端部に凸部２０を設けガイドレール１８に勘合させることで位置の規制を行う構造以外にも、例えば図３（ｂ）に示すように内蔵物１２を内部フレーム２３に固定し、内部フレーム２３に凸部２１を設けるようにしてもよい。
【００３１】
また内蔵物１２の、上下方向の規制については、固定部材２２で上下から規制する以外に、図３（ｃ）に示すように固定ピン２５を使用し、内蔵物１２を固定する方法でもよい。
【００３２】
図４には、本発明の第２実施形態に係るカメラの構造が示されている。
【００３３】
図４に示すように、カメラ１１は第１実施形態と同様、内蔵物１２、第１外装部材１４、第２外装部材１６より構成されている。
【００３４】
内蔵物１２は両端部に固定部材４０を備え、第１外装部材１４の一方向（図中上）より挿入され、第１外装部材１４内に固定される。このとき、第１外装部材１４の内壁には固定部材４０が嵌合し且つスムーズに挿入できるようなガイドレール１８が設けられ、固定部材はガイドレール１８に勘合し、図中左右方向の位置精度を保ちながら第１外装部材１４内に挿入される。
【００３５】
ガイドレール１８には所定の位置に固定穴２８が設けられ、内蔵物１２がガイドレール１８に沿って挿入され、所定の位置に達すると、固定部材４０に設けられたピン４２が固定穴２８に嵌合し、内蔵物１２の、図中上下方向の移動を規制する。
【００３６】
固定部材４０は図４（ｂ）に示すようにケース４４内にピン４２が外側に向けてバネ４６で付勢された状態で設けられており、内蔵物１２が所定の位置に達することで、固定部材４０のピン４２が固定穴２８に嵌合し、内蔵物１２を固定する。ピン４２は外側すなわち固定穴２８に嵌合する方向に付勢されているので、一旦固定穴２８に嵌合すれば外れる恐れはない。
【００３７】
本実施形態では上記の第１実施形態と同様、少ない工数で内蔵物１２を固定できることに加えて、内蔵物１２の固定に関して第１外装部材１４と内蔵物１２のみで完結しており第２外装部材１６は寄与していないため、より自由な部品デザイン、配置が可能となる。
【００３８】
図５には、本発明の第３実施形態に係るカメラの構造が示されている。
【００３９】
図５に示すように、内蔵物１２に設けられた凸部２０には、内蔵物１２に含まれる基板（図示せず）よりＧＮＤ（接地）に導通されるよう配線された端子部２７が設けられている。
【００４０】
一方、第１外装部材１４のインナーモールド１４Ｂに設けられたガイドレール１８の突き当て端にはコネクタ５０が設けられ、バネ構造で端子部２７を押圧する方向に付勢された接続部５２が端子部２７と導通するように設けられている。
【００４１】
コネクタ５０には第１外装部材１４のアルミパネル１４Ａと接触する接触部材５４が設けられ、接触部材５４からアルミパネル１４Ａに向けて設けられた凸部５６が、アルミパネル１４Ａの表面を覆う耐食性のアルマイト加工を削り取った凹部５８と接触し、コネクタ５０を経由して凸部２０に設けられた端子部２７と導通し、最終的には内蔵物１２の基板のＧＮＤと第１外装部材１４のアルミパネル１４Ａとを導通することで接地を行う。
【００４２】
すなわち内蔵物１２を正しく第１外装部材１４にセットすることで凸部２０がガイドレール１８の突き当て端に固定され、端子部２７はコネクタ５０と接触し、アルミパネル１４Ａに設けられた凹部５８の表面である導電性のアルミ地肌から第１外装部材１４にアースをとる。
【００４３】
本実施形態は上記の構成とすることで、内蔵物１２を確実に接地することができる。内蔵物１２の接地がとれず、電気的に浮いた状態では静電故障の発生が考えられるが、本実施形態では単純な構成で組み立て工数を削減しながら静電故障の発生を抑えることができる。
【００４４】
図６には、本発明の第４実施形態に係るカメラの構造が示されている。
【００４５】
図６（ｃ）に示すように、内蔵物１２に設けられた固定部材４０は、内蔵物１２に含まれる基板（図示せず）よりＧＮＤ（接地）に導通されるよう配線６０により接続されている。
【００４６】
一方、図６（ａ）に示すように第１外装部材１４のインナーモールド１４Ｂに設けられたガイドレール１８には固定穴２８が設けられ、バネ４６で外側に付勢されたピン４２が固定穴２８と嵌合するように設けられている。
【００４７】
固定穴２８の設けられた箇所のアルミパネル１４Ａは、アルミパネル１４Ａの表面を覆う耐食性のアルマイト加工を削り取った凹部５８が設けられ、配線６０で基板のＧＮＤと接続されたピン４２が凹部５８の表面と接触し、最終的には内蔵物１２の基板のＧＮＤと第１外装部材１４のアルミパネル１４Ａとを導通することで接地を行う。
【００４８】
すなわち内蔵物１２を正しく第１外装部材１４にセットすることでピン４２がガイドレール１８の固定穴２８に嵌合し、アルミパネル１４Ａに設けられた凹部５８の表面である導電性のアルミ地肌から第１外装部材１４にアースをとる。
【００４９】
本実施形態は上記の構成とすることで、少ない工数で内蔵物１２を固定できることに加えて、内蔵物１２の固定に関して第１外装部材１４と内蔵物１２のみで完結しており第２外装部材１６は寄与していないため、より自由な部品デザイン、配置が可能となり、且つ内蔵物１２を確実に接地することができる。
【００５０】
内蔵物１２の接地がとれず、電気的に浮いた状態では静電故障の発生が考えられるが、本実施形態では単純な構成で組み立て工数を削減しながら静電故障の発生を抑えることができる。
【図面の簡単な説明】
【００５１】
【図１】本発明の第１実施形態に係るカメラを示す斜視図である。
【図２】本発明の第１実施形態に係るカメラを示す側面図である。
【図３】本発明の第１実施形態に係るカメラを示す斜視図である。
【図４】本発明の第２実施形態に係るカメラを示す斜視図である。
【図５】本発明の第３実施形態に係るカメラの内部構造を示す斜視図である。
【図６】本発明の第４実施形態に係るカメラの内部構造を示す斜視図である。
【符号の説明】
【００５２】
１０      カメラ
１２      内蔵物
１４      第１外装部材
１６      第２外装部材
１８      ガイドレール
２０      凸部
２２      固定部材
２８      固定穴
４２      ピン
５０      コネクタ
【図１】
2006174283.tif 000003
【図２】
2006174283.tif 000004
【図３】
2006174283.tif 000005
【図４】
2006174283.tif 000006
【図５】
2006174283.tif 000007
【図６】
2006174283.tif 000008